(57)【要約】【課題】測定対象成分である複数の冷媒成分を相互干渉を可及的に抑制して精度よく分析することのできる混合冷媒分析装置を提供すること。【解決手段】複数の冷媒成分を含んだ混合冷媒がサンプルガスＳとして供給されるセル１２ａ，１３ａと、このセル１２ａ，１３ａに赤外光を照射する赤外光源１２ｂ，１３ｂと、前記セル１２ａ，１３ａを透過した赤外光のうち前記各冷媒成分の赤外吸収スペクトルに合わせた波長の赤外光を透過させる複数のバンドパスフィルタＦ１　〜Ｆ７　と、各バンドパスフィルタＦ１　〜Ｆ７　を透過した赤外光の強度をそれぞれ測定する複数の検出器Ｄ１　〜Ｄ７　を備えた混合冷媒測定装置において、赤外光透過中心波数が、１２２２〜１２３５ｃｍ−１、１２０５〜１２２０ｃｍ−１、１１８０〜１１９２ｃｍ−１、１０６５〜１０８８ｃｍ−１、９８１〜１０００ｃｍ−１、９０８〜９３３ｃｍ−１および７９８〜８２０ｃｍ−１にそれぞれ設定されたバンドパスフィルタのうち少なくとも２つのバンドパスフィルタを備えている。【選択図】　　　図２
2004138453.tif 000002
【特許請求の範囲】
【請求項１】
複数の冷媒成分を含んだ混合冷媒がサンプルガスとして供給されるセルと、このセルに赤外光を照射する赤外光源と、前記セルを透過した赤外光のうち前記各冷媒成分の赤外吸収スペクトルに合わせた波長の赤外光を透過させる複数のバンドパスフィルタと、各バンドパスフィルタを透過した赤外光の強度をそれぞれ測定する複数の検出器を備えた混合冷媒分析装置において、赤外光透過中心波数が、１２２２〜１２３５ｃｍ−１、１２０５〜１２２０ｃｍ−１、１１８０〜１１９２ｃｍ−１、１０６５〜１０８８ｃｍ−１、９８１〜１０００ｃｍ−１、９０８〜９３３ｃｍ−１および７９８〜８２０ｃｍ−１にそれぞれ設定されたバンドパスフィルタのうち少なくとも２つのバンドパスフィルタを備えたことを特徴とする混合冷媒分析装置。
【請求項２】
複数の冷媒成分を含んだ混合冷媒がサンプルガスとして供給されるセルと、このセルに赤外光を照射する赤外光源と、前記セルを透過した赤外光のうち前記各冷媒成分の赤外吸収スペクトルに合わせた波長の赤外光を透過させる複数のバンドパスフィルタと、各バンドパスフィルタを透過した赤外光の強度をそれぞれ測定する複数の検出器を備えた混合冷媒分析装置において、赤外光透過中心波数が、１２６３〜１２６９ｃｍ−１、１１３７〜１１５１ｃｍ−１、１１８０〜１１９２ｃｍ−１、１０６５〜１０８８ｃｍ−１、９８１〜１０００ｃｍ−１、９０８〜９３３ｃｍ−１および７９８〜８２０ｃｍ−１にそれぞれ設定されたバンドパスフィルタのうち少なくとも２つのバンドパスフィルタを備えたことを特徴とする混合冷媒分析装置。
【請求項３】
複数の冷媒成分を含んだ混合冷媒がサンプルガスとして供給されるセルと、このセルに赤外光を照射する赤外光源と、前記セルを透過した赤外光のうち前記各冷媒成分の赤外吸収スペクトルに合わせた波長の赤外光を透過させる複数のバンドパスフィルタと、各バンドパスフィルタを透過した赤外光の強度をそれぞれ測定する複数の検出器を備えた混合冷媒分析装置において、赤外光透過中心波数が、１２２２〜１２３５ｃｍ−１、１１３７〜１１５１ｃｍ−１、１１８０〜１１９２ｃｍ−１、１０６５〜１０８８ｃｍ−１、９８１〜１０００ｃｍ−１、９０８〜９３３ｃｍ−１および７９８〜８２０ｃｍ−１にそれぞれ設定されたバンドパスフィルタのうち少なくとも２つのバンドパスフィルタを備えたことを特徴とする混合冷媒分析装置。
【請求項４】
複数の冷媒成分を含んだ混合冷媒がサンプルガスとして供給されるセルと、このセルに赤外光を照射する赤外光源と、前記セルを透過した赤外光のうち前記各冷媒成分の赤外吸収スペクトルに合わせた波長の赤外光を透過させる複数のバンドパスフィルタと、各バンドパスフィルタを透過した赤外光の強度をそれぞれ測定する複数の検出器を備えた混合冷媒分析装置において、赤外光透過中心波数が、１２６３〜１２６９ｃｍ−１、１２０５〜１２２０ｃｍ−１、１１８０〜１１９２ｃｍ−１、１０６５〜１０８８ｃｍ−１、９８１〜１０００ｃｍ−１、９０８〜９３３ｃｍ−１および７９８〜８２０ｃｍ−１にそれぞれ設定されたバンドパスフィルタのうち少なくとも２つのバンドパスフィルタを備えたことを特徴とする混合冷媒分析装置。
【発明の詳細な説明】
【０００１】
【発明の属する技術分野】この発明は、混合冷媒中に含まれる冷媒成分を各別に分析する混合冷媒分析装置に関する。
【０００２】
【従来の技術】
【特許文献１】特開平２−１２４４４８号公報
従来より、冷蔵庫やクーラなどの冷却機に用いられる冷媒には、一般的にフロンガスが用いられている。フロンガスは旧冷媒のＣＦＣ系、ＨＣＦＣ系に加えて、新冷媒のＨＦＣ系があるが、オゾン層破壊や地球温暖化の問題があり、フロンガスの回収およびリサイクルが義務付けられている。また、リサイクルできないフロンガスについてはこれを確実に破壊することが求められている。
【０００３】
一方、新冷媒としては、代表的なフロン４１０Ａ、フロン４０７Ｃ、フロン４０４Ａ、フロン５０７Ａがあり、これらは、複数の単成分フロンガス〔フロン１４３ａ（Ｒ１４３ａ）、フロン１２５（Ｒ１２５）、フロン１３４ａ（Ｒ１３４ａ）、フロン３２（Ｒ３２）〕のうちの数種を所定の割合で混合した所謂混合冷媒である。したがって、誤回収などにより、成分比率が変化した異種のフロンガス〔フロン１１５（Ｒ１１５）、フロン１２（Ｒ１２）、フロン２２（Ｒ２２）など〕が混入すると、リサイクルができなくなる。このため、フロンガスの成分比率を測定することが求められている。
【０００４】前記フロンガス濃度を測定する手段として、例えば、前記特許文献１に記載されているように、ＮＤＩＲ法によるものがある。このＮＤＩＲ法によって混合冷媒の分析を行うには、複数の冷媒成分を含んだ混合冷媒がサンプルガスとして供給されるセルの一側に赤外光源を設け、前記セルの他側に当該セルを透過した赤外光のうち前記各冷媒成分の赤外吸収スペクトルに合わせた波長の赤外光を透過させる複数のバンドパスフィルタとこれらのバンドパスフィルタを透過した赤外光の強度をそれぞれ測定する複数の検出器を設けた混合冷媒分析装置が用いられる。
【０００５】この場合、混合冷媒を構成する複数の冷媒成分を各別に精度よく検出するには、それぞれの冷媒成分に対応して設けられるバンドパスフィルタの赤外光透過波長範囲を適切に設定する必要がある。従来においては、各冷媒成分における赤外線吸収の大きい波長帯を主眼にして前記バンドパスフィルタの中心波数（波長の逆数）を決定しており、例えば、Ｒ１４３ａ、Ｒ１２５、Ｒ１３４ａ、Ｒ３２、Ｒ１１５、Ｒ１２、Ｒ２２を分析する場合、下記表１に示すように、各バンドパスフィルタの中心波数を設定していた。
【０００６】
【表１】
2004138453.tif 000003
【０００７】
【発明が解決しようとする課題】しかしながら、上記従来の混合冷媒分析装置においては、各冷媒成分の測定誤差は下記表２に示すようにかなり大きく、特に、Ｒ３２およびＲ２２については、測定誤差が大きかった。
【０００８】
【表２】
2004138453.tif 000004
【０００９】図６（Ａ），（Ｂ）は、Ｒ３２およびＲ２２の１００％吸光度を示すもので、Ｒ３２の吸光度は、Ｒ２２の影響を受け、逆に、Ｒ２２の吸光度は、Ｒ３２の影響を受けていることが分かる。つまり、これらＲ３２、Ｒ２２は相互に干渉影響を及ぼしあう、所謂相互干渉の関係にある。
【００１０】また、図７は、７つの冷媒成分Ｒ１４３ａ、Ｒ１２５、Ｒ１３４ａ、Ｒ３２、Ｒ１１５、Ｒ１２、Ｒ２２の赤外光透過率と各バンドパスフィルタの赤外透過特性とを比較して示す図で、この図において、符号Ａ１　〜Ａ７　を付した曲線は、前記７つの冷媒成分Ｒ１４３ａ、Ｒ１２５、Ｒ１３４ａ、Ｒ３２、Ｒ１１５、Ｒ１２、Ｒ２２の赤外光透過率を示しており、符号Ｂ１　〜Ｂ７　を付した曲線は、バンドパスフィルタの赤外透過特性を示している。従来においては、既に説明したように、各冷媒成分を検出するためのバンドパスフィルタの中心波数を、赤外線吸収の大きい、すなわち、赤外光透過率の低い波長帯を主眼にして設定していたため、図５において曲線Ｂ４　，Ｂ７　で示すように、Ｒ３２、Ｒ２２用のバンドパスフィルタの中心波数が、互いに接近した位置（値）に設定されていた。このため、Ｒ３２、Ｒ２２の測定精度が互いに悪くなっていた。
【００１１】ところで、本願出願人は、混合冷媒中の複数の冷媒成分を分析する場合のように、サンプルガス中に含まれる多成分の相互干渉を補正した連立方程式を解いて成分比率を求めるための発明を特許出願している（特願２００２−２６５４３６号）。このような演算処理を行う場合において、測定対象成分である冷媒成分をそれぞれ検出するためのバンドパスフィルタにおける赤外光透過波長範囲を所望の解析結果が得られるように設定することはきわめて重要なことである。
【００１２】この発明は、上述の事柄に留意してなされたもので、その目的は、測定対象成分である複数の冷媒成分を、相互干渉を可及的に抑制して精度よく分析することのできる混合冷媒分析装置を提供することである。
【００１３】
【課題を解決するための手段】上記目的を達成するため、この出願では、以下のような手段を採用している。すなわち、請求項１に記載の発明では、複数の冷媒成分を含んだ混合冷媒がサンプルガスとして供給されるセルと、このセルに赤外光を照射する赤外光源と、前記セルを透過した赤外光のうち前記各冷媒成分の赤外吸収スペクトルに合わせた波長の赤外光を透過させる複数のバンドパスフィルタと、各バンドパスフィルタを透過した赤外光の強度をそれぞれ測定する複数の検出器を備えた混合冷媒分析装置において、赤外光透過中心波数が、１２２２〜１２３５ｃｍ−１、１２０５〜１２２０ｃｍ−１、１１８０〜１１９２ｃｍ−１、１０６５〜１０８８ｃｍ−１、９８１〜１０００ｃｍ−１、９０８〜９３３ｃｍ−１および７９８〜８２０ｃｍ−１にそれぞれ設定されたバンドパスフィルタのうち少なくとも２つのバンドパスフィルタを備えたことを特徴としている。
【００１４】そして、請求項２に記載の発明では、複数の冷媒成分を含んだ混合冷媒がサンプルガスとして供給されるセルと、このセルに赤外光を照射する赤外光源と、前記セルを透過した赤外光のうち前記各冷媒成分の赤外吸収スペクトルに合わせた波長の赤外光を透過させる複数のバンドパスフィルタと、各バンドパスフィルタを透過した赤外光の強度をそれぞれ測定する複数の検出器を備えた混合冷媒分析装置において、赤外光透過中心波数が、１２６３〜１２６９ｃｍ−１、１１３７〜１１５１ｃｍ−１、１１８０〜１１９２ｃｍ−１、１０６５〜１０８８ｃｍ−１、９８１〜１０００ｃｍ−１、９０８〜９３３ｃｍ−１および７９８〜８２０ｃｍ−１にそれぞれ設定されたバンドパスフィルタのうち少なくとも２つのバンドパスフィルタを備えたことを特徴としている。
【００１５】また、請求項３に記載の発明では、複数の冷媒成分を含んだ混合冷媒がサンプルガスとして供給されるセルと、このセルに赤外光を照射する赤外光源と、前記セルを透過した赤外光のうち前記各冷媒成分の赤外吸収スペクトルに合わせた波長の赤外光を透過させる複数のバンドパスフィルタと、各バンドパスフィルタを透過した赤外光の強度をそれぞれ測定する複数の検出器を備えた混合冷媒分析装置において、赤外光透過中心波数が、１２２２〜１２３５ｃｍ−１、１１３７〜１１５１ｃｍ−１、１１８０〜１１９２ｃｍ−１、１０６５〜１０８８ｃｍ−１、９８１〜１０００ｃｍ−１、９０８〜９３３ｃｍ−１および７９８〜８２０ｃｍ−１にそれぞれ設定されたバンドパスフィルタのうち少なくとも２つのバンドパスフィルタを備えたことを特徴としている（請求項３）。
【００１６】さらに、請求項４に記載の発明では、複数の冷媒成分を含んだ混合冷媒がサンプルガスとして供給されるセルと、このセルに赤外光を照射する赤外光源と、前記セルを透過した赤外光のうち前記各冷媒成分の赤外吸収スペクトルに合わせた波長の赤外光を透過させる複数のバンドパスフィルタと、各バンドパスフィルタを透過した赤外光の強度をそれぞれ測定する複数の検出器を備えた混合冷媒分析装置において、赤外光透過中心波数が、１２６３〜１２６９ｃｍ−１、１２０５〜１２２０ｃｍ−１、１１８０〜１１９２ｃｍ−１、１０６５〜１０８８ｃｍ−１、９８１〜１０００ｃｍ−１、９０８〜９３３ｃｍ−１および７９８〜８２０ｃｍ−１にそれぞれ設定されたバンドパスフィルタのうち少なくとも２つのバンドパスフィルタを備えたことを特徴としている。
【００１７】上記いずれの構成の混合冷媒分析装置においても、複数の冷媒成分をそれぞれ検出するためのバンドパスフィルタの赤外光透過波長範囲が、Ｓ／Ｎが大きいことおよび他の冷媒成分に干渉影響を与えないことに基づいて設定されているので、相互干渉を可及的に小さく抑制した状態で、各冷媒成分を高精度で測定することができる。
【００１８】
【発明の実施の形態】以下、この発明の詳細を、図を参照しながら説明する。図１〜図３は、この発明の一つの実施の形態を示すものである。まず、図１は、この発明の混合冷媒分析装置の構成例を概略的に示すもので、この図において、１はサンプルガスＳとしての混合冷媒を収容したボンベで、２はボンベバルブである。３はボンベ１と後述する混合冷媒分析装置５との間を接続するサンプルガス供給路で、圧力調整器４を備えている。
【００１９】５は混合冷媒分析装置で、例えば次のように構成されている。すなわち、６，７は混合冷媒分析装置５に形成されるガス入口、ガス出口で、ガス入口６にはサンプルガス供給路３の下流端が接続される。８はガス入口６とガス出口７との間に形成されるガス流路で、ガス入口６からのサンプルガスＳが流れ、その上流側から、流量調整用ニードルバルブ開閉弁９、オイルフィルタ１０、三方電磁弁１１、ガス分析部１２、１３がこの順に設けられている。三方電磁弁１１は、電源オフ時には閉じている第１ポート１１ａがオイルフィルタ１０に接続され、常時開放されている第２ポート１１ｂがガス分析部１２に接続されるように、ガス流路８に介装されている。なお、１４はガス出口７に接続されるガス排出流路で、その下流側は適宜のガス回収部（図示していない）に接続されている。
【００２０】前記ガス分析部１２、１３は、ＮＤＩＲ法によって混合冷媒中に含まれる各冷媒成分の比率を分析するもので、例えば図２に示すように、構成されている。すなわち、一方のガス分析部１２は、セル１２ａと、このセル１２ａの一方の窓１２ａ１　側に設けられる赤外光源１２ｂおよび光チョッパ１２ｃと、セル１２ａの他方の窓１２ａ２　側に設けられる検出部１２ｄとからなり、他方のガス分析部１３は、セル１３ａと、このセル１３ａの一方の窓１３ａ１　側に設けられる赤外光源１３ｂおよび光チョッパ１３ｃと、セル１３ａの他方の窓１３ａ２　側に設けられる検出部１３ｄとからなる。
【００２１】そして、前記一方のガス分析部１２のセル１２ａと他方のガス分析部１３のセル１３ａとが直列に接続され、上流側に位置する一方のセル１２ａには、三方電磁弁１１を経たサンプルガスＳが供給され、このセル１２ａの下流側に位置するように直列接続された他方のセル１３ａには、セル１２ａを経たサンプルガスＳが供給されるように構成されている。
【００２２】また、前記検出部１２ｄ，１３ｄは、これら二つの検出部１２ｄ，１３ｄによって、サンプルガスＳとしての混合冷媒に含まれる例えば７つ（７種類）の冷媒成分を検出することができるように、一方の検出部１２ｄには、７つの冷媒成分のうちの３つの冷媒成分（Ｒ１４３ａ、Ｒ１２５、Ｒ１３４ａ）に対応して３つの焦電検出器Ｄ１　〜Ｄ３　と３つのバンドパスフィルタＦ１　〜Ｆ３　とが対をなすように、しかも、図３（Ａ）に示すように、円周を３等分するように配置され、他方の検出部１３ｄには、７つのうちの残り４つの冷媒成分（Ｒ３２、Ｒ１１５、Ｒ１２、Ｒ２２）に対応して４つの焦電検出器Ｄ４　〜Ｄ７　と４つのバンドパスフィルタＦ４　〜Ｆ７　とが対をなすように、しかも、図３（Ｂ）に示すように、円周を４等分するように配置されている。
【００２３】そして、前記検出部１２ｄ，１３ｄにおける７つのバンドパスフィルタＦ１　〜Ｆ７　は、それらの赤外光透過波長範囲が、Ｓ／Ｎが大きく、また、他の冷媒成分の干渉影響を受けないように設定されているとともに、それぞれのバンドパスフィルタＦ１　〜Ｆ７　が検出する測定対象成分である冷媒成分の吸光度に応じて２つに分けたもので、検出部１２ｄには吸光度の大きい冷媒成分に対応するバンドパスフィルタＦ１　〜Ｆ３　を、そして、検出部１３ｄには吸光度の小さい冷媒成分に対応するバンドパスフィルタＦ４　〜Ｆ７　を、それぞれ収容している。さらに、前記７つのバンドパスフィルタＦ１　〜Ｆ７　は、前記７つの冷媒成分の赤外吸収スペクトルに合わせて、透過する中心波長が例えば下記表３に示すように設定されている。
【００２４】
【表３】
2004138453.tif 000005
【００２５】再び図１において、１５は混合冷媒分析装置５に形成されるゼロガス入口で、このゼロガス入口１５と三方電磁弁１１の電源オフ時には開いている第３ポート１１ｃとの間にはゼロガス供給路１６が形成されている。このゼロガス供給路１６には、フィルタ１７および吸引ポンプ１８がこの順に設けられている。そして、このゼロガス供給路１６は、三方電磁弁１１を介して上述した構成を有するガス分析部１２，１３のセル１２ａ，１３ａにゼロガスＺを供給するもので、この実施の形態においては、ゼロガス入口１５から空気Ａが導入され、この空気Ａがフィルタ１７を経て清浄な空気となり、これがゼロガスＺとなるように構成されている。
【００２６】なお、図示していないが、前記混合冷媒分析装置５には、その各部を例えばシーケンス制御したり、ガス分析部１２，１３の出力に基づいて、複数（この例では７つ）の冷媒成分の濃度演算（成分比率演算）を行う演算制御装置（例えばパソコン）が設けられている。
【００２７】上記構成の混合冷媒分析装置５を用いて混合冷媒の測定を行う作動について説明する。演算制御装置の測定キーを手動でオンして、三方電磁弁１１をオンにする。そして、この状態でボンベバルブ２を手動で開いて、ボンベ１内の混合冷媒をサンプルガスＳとして混合冷媒分析装置５に供給する。混合冷媒分析装置５に供給されたサンプルガスＳは、ニードルバルブ９、オイルフィルタ１０、三方電磁弁１１を経て上流側のガス分析部１２のセル１２ａに入り、このセル１２ａを通過したサンプルガスＳは、下流側のガス分析部１３のセル１３ａに入る。これらのガス分析部１２，１３においては、サンプルガスＳがセル１２ａ，１３ａに供給されている間、サンプルガスＳの分析が行われる。このサンプルガス分析により、センサ信号が立ち上がり、その後、それぞれのガス分析部１２，１３におけるデータのサンプリングが行われる。これによって、各ガス分析部１２，１３から成分ごとの測定信号ｓが得られる。そして、下流側のガス分析部１３を出たサンプルガスＳは、ガス出口７からガス排出流路１４に入り、その後回収される。また、三方電磁弁１１は所定の時間だけオンした後オフとなり、この三方電磁弁１１のオフ後暫くしてボンベバルブ２が手動で閉じられる。
【００２８】そして、吸引ポンプ１８がオンになると、ゼロガス供給路１６からゼロガスＺが三方電磁弁１１を経て上流側のガス分析部１２のセル１２ａに入り、このセル１２ａを通過したゼロガスＺは、下流側のガス分析部１３のセル１３ａに入り、前記立ち上がったセンサ信号が立ち下がる。前記ガス分析部１２，１３においては、ゼロガスＺがセル１２ａ，１３ａに供給されている間、ゼロガスＺによるゼロ測定が行われる。これによって、各ガス分析部１２，１３から成分ごとのゼロ信号ｚが得られる。そして、前記ガス分析部１２，１３を順次流れたゼロガスＺは、ガス出口７からガス排出流路１４に入り、その後回収される。
【００２９】そして、演算制御装置においては、前記サンプルガス測定時に得られた複数の成分に対応するように設けられた複数の焦電検出器Ｄ１　〜Ｄ７　からそれぞれ出力される測定信号ｓ（ｓ１　〜ｓ７　）とゼロ測定時に得られた前記焦電検出器Ｄ１　〜Ｄ７　からのゼロ信号ｚ（ｚ１　〜ｚ７　）とに基づいて、例えば比〔ｌｏｇ（ｓ／ｚ）〕をとることにより、サンプルガスＳ中に含まれる複数の冷媒成分の比率が求められる。
【００３０】上述のように、上記実施の形態においては、サンプルガスＳ中に含まれる７つの冷媒成分Ｒ１４３ａ、Ｒ１２５、Ｒ１３４ａ、Ｒ３２、Ｒ１１５、Ｒ１２、Ｒ２２をそれぞれ検出するための７つのバンドパスフィルタＦ１　〜Ｆ７　の赤外線透過中心波数が、前記表３に示すように設定されているので、図４に示すように、前記７つの冷媒成分の赤外光透過率（図中の符号Ａ１　〜Ａ７　を付した曲線）と各バンドパスフィルタＦ１　〜Ｆ７　の赤外透過特性（図中の符号Ｂ１　〜Ｂ７　を付した曲線）とが互いに対応するようになり、従来の混合冷媒分析装置とは異なり、相互干渉を可及的に抑制して精度よく分析することができる。また、Ｒ３２およびＲ２２のそれぞれの吸光度も、図６（Ｃ），（Ｄ）に示すように、それぞれの吸光度は、互いに影響を受けなくなっており、急峻度の明確な吸光度特性が得られる。
【００３１】前記７つのバンドパスフィルタＦ１　〜Ｆ７　の赤外線透過中心波数を前記表３に示すように設定したときの測定誤差は、下記表４に示すようになっている。
【００３２】
【表４】
2004138453.tif 000006
【００３３】上記表４において、上段の数字は、表２の数字を再度掲載したもので、この表４からも、７つの冷媒成分における相互干渉の度合いが可及的に抑制され、各冷媒成分を精度よく分析できることが理解される。
【００３４】そして、前記７つのバンドパスフィルタＦ１　〜Ｆ７　の中心波数は、上記表３に示したものに限られるものではなく、それぞれの中心波数について、例えば下記表５に示すように、多少の許容範囲を設けるようにしてあってもよい。
【００３５】
【表５】
2004138453.tif 000007
【００３６】ところで、上記実施の形態においては、Ｒ３２とＲ２２における相互干渉について述べ、特に、これらの対するバンドパスフィルタＦ４　とＦ７　の中心波数を設定しなおした例であったが、Ｒ１４３ａとＲ１２５について、これらに対するバンドパスフィルタＦ１　とＦ２　の中心波数を設定しなおすようにしてもよい。下記表６は、このときの７つのバンドパスフィルタＦ１　〜Ｆ７　の中心波数の上限値と下限値の一例を示すものである。
【００３７】
【表６】
2004138453.tif 000008
【００３８】前記７つの冷媒成分Ｒ１４３ａ、Ｒ１２５、Ｒ１３４ａ、Ｒ３２、Ｒ１１５、Ｒ１２、Ｒ２２をそれぞれ検出するための７つのバンドパスフィルタＦ１　〜Ｆ７　の赤外線透過中心波数が、上記表６に示すように設定されているので、図５に示すように、前記７つの冷媒成分の赤外光透過率（図中の符号Ａ１　〜Ａ７　を付した曲線）と各バンドパスフィルタＦ１　〜Ｆ７　の赤外透過特性（図中の符号Ｂ１　〜Ｂ７　を付した曲線）とが互いに対応するようになり、相互干渉を可及的に抑制して精度よく分析することができる。
【００３９】また、Ｒ１４３ａおよびＲ１２５をそれぞれ検出するためのバンドパスフィルタＦ１　およびＦ２　の中心波数の上限値と下限値については、次のように設定してもよい。すなわち、
（１）Ｒ１４３ａについて、１２２２〜１２３５ｃｍ−１とし、
Ｒ１２５について、　１１３７〜１１５１ｃｍ−１とする。
あるいは、
（２）Ｒ１４３ａについて、１２６３〜１２６９ｃｍ−１とし、
Ｒ１２５について、　１２０５〜１２２０ｃｍ−１とする。
そして、上記（１），（２）のいずれの場合においても、他の５つの冷媒成分（Ｒ１３４ａ、Ｒ３２、Ｒ１１５、Ｒ１２、Ｒ２２）をそれぞれ検出するためのバンドパスフィルタＦ３　〜Ｆ７　の中心波数の上限値と下限値については、前記表５または表６に示したものと同じにする。
上記いずれの場合においても、前記複数の冷媒成分の赤外光透過率と各バンドパスフィルタの赤外透過特性が互いに対応するようになり、相互干渉を可及的に抑制して精度よく分析することができる。
【００４０】なお、上記構成の混合冷媒分析装置においては、各冷媒成分に対応するバンドパスフィルタＦ１　〜Ｆ７　および検出器Ｄ１　〜Ｄ７　を、各冷媒成分の吸光度に応じて２つのグループに分類し、各グループに対応するようにして、異なるセル長を有するせる１２ａ，１３ａを設けている。この場合、吸光度が大きい冷媒成分を検出するためのバンドパスフィルタＦ１　〜Ｆ３　および検出器Ｄ１　〜Ｄ３　を収容した検出部１２ｄに対応するセル１２ａのセル長を、吸光度が小さい冷媒成分を検出するためのバンドパスフィルタＦ４　〜Ｆ７　および検出器Ｄ４　〜Ｄ７　を収容した検出部１３ｄに対応するセル１３ａのセル長よりも短くして、各グループ間の吸光度レベルの調整を行うようにしてもよく、このようにした場合、全ての冷媒成分について測定感度が必要な範囲内で直線性を維持することができ、より精度の高い測定結果を得ることができる。
【００４１】なお、上述の実施の形態においては、混合冷媒中に７つの冷媒成分が存在し、これら全ての冷媒成分を分析するものを例示しているが、この発明はこれに限られるものではなく、混合冷媒が２以上の冷媒成分からなるものであってもよい。また、上述の実施の形態においては、混合冷媒分析装置５として複数のガス分析部１２、１３よりなるものであったが、これに代えて、単一のガス分析部とし、このガス分析部に設けられる単一のセルとして、複数のセル長を形成したものを用いるようにしてもよい。
【００４２】
【発明の効果】以上説明したように、この発明の混合冷媒分析装置によれば、測定対象成分である複数の冷媒成分を相互干渉を可及的に抑制して精度よく分析することができる。
【図面の簡単な説明】
【図１】この発明の混合冷媒分析装置の構成の一例を概略的に示すものである。
【図２】前記赤外線ガス分析計の分析部の構成を概略的に示す図である。
【図３】前記分析部の検出部における構成を概略的に示す図である。
【図４】前記混合冷媒分析装置における赤外光透過率と各バンドパスフィルタの赤外透過特性の一例を示す図である。
【図５】前記混合冷媒分析装置における赤外光透過率と各バンドパスフィルタの赤外透過特性の他の例を示す図である。
【図６】Ｒ３２とＲ２２における相互干渉を説明するための図で、（Ａ），（Ｂ）は従来の混合冷媒分析装置を用いたときのＲ３２とＲ２２の吸光度を示す図、（Ｃ），（Ｄ）はこの発明の混合冷媒分析装置を用いたときのＲ３２とＲ２２の吸光度を示す図である。
【図７】従来の混合冷媒分析装置における赤外光透過率と各バンドパスフィルタの赤外透過特性を示す図である。
【符号の説明】５…混合冷媒分析装置、１２ａ，１３ａ…セル、１２ｂ，１３ｂ…赤外光源、Ｄ１　〜Ｄ７　…検出器、Ｆ１　〜Ｆ７　…バンドパスフィルタ、Ｓ…サンプルガス。
【図１】
2004138453.tif 000009
【図２】
2004138453.tif 000010
【図３】
2004138453.tif 000011
【図４】
2004138453.tif 000012
【図５】
2004138453.tif 000013
【図６】
2004138453.tif 000014
【図７】
2004138453.tif 000015